(57)【要約】  冷却器（２１）と、冷却器（２１）の表面で生じたドレン水を収受し外部に排水するドレンパン（２２）と、を備える空調用室内機（１００）において、ドレンパン（２２）は、ドレン水が集められるドレン水集水部（３３）と、ドレン水集水部（３３）の底面に形成されたソケット載置面（４２）と、ドレン水集水部（３３）の内周面（２９）に外部と連通して形成されたソケット装着穴部（２７）と、を有し、ドレン水を収受するドレンパン本体部（２２ａ）と、ソケット装着穴部（２７）に挿通される排水ノズル部（３５）と、ソケット載置面（４２）の上に設置される横板部（４１）と、を有するドレンソケット（３４）と、ドレンパン本体部（２２ａ）の内周面および底面を被う防水シート（７１）と、防水シート（７１）をドレンパン本体部（２２ａ）に接着させる接着剤（７２）と、を備えており、ドレンソケット（３４）における横板部（４１）の縁部（４１ａ）の上面（４１ｂ）がドレン水集水部（３３）の底面（２８）よりも低い位置に形成されている。
2019003327.tif 000002
【特許請求の範囲】
【請求項１】
冷却器と、前記冷却器の表面で生じたドレン水を収受し外部に排水するドレンパンと、を備える空調用室内機において、  前記ドレンパンは、  前記ドレン水が集められるドレン水集水部と、前記ドレン水集水部の底面に形成されたソケット載置面と、前記ドレン水集水部の内周面に外部と連通して形成されたソケット装着穴部と、を有し、前記ドレン水を収受するドレンパン本体部と、  前記ソケット装着穴部に挿通される排水ノズル部と、前記ソケット載置面の上に設置される横板部と、を有するドレンソケットと、  前記ドレンパン本体部の内周面および底面を被う防水シートと、  前記防水シートを前記ドレンパン本体部に接着させる接着剤と、を備えており、  前記ドレンソケットにおける横板部の縁部の上面が前記ドレン水集水部の底面よりも低い位置に形成されていることを特徴とする空調用室内機。
【請求項２】
前記接着剤は、前記横板部の上面に向かって下るように傾斜して塗布されていることを特徴とする請求項１に記載の空調用室内機。
【請求項３】
前記横板部は、前記横板部の縁部より高い位置に形成された高台部を有し、前記高台部は前記ドレン水集水部の底面を被った前記防水シートと同じ高さに設定され、前記高台部の周囲の前記横板部の縁部上に前記接着剤が充填されることを特徴とする請求項１に記載の空調用室内機。
【請求項４】
前記ドレンパン本体部の底面が前記ドレン水集水部に向けて下るように傾斜して形成されていることを特徴とする請求項１から請求項３までのいずれか一項に記載の空調用室内機。
【請求項５】
前記ソケット載置面は前記排水ノズル部に向かって下るように傾斜して形成されていることを特徴とする請求項１から請求項４までのいずれか一項に記載の空調用室内機。
【発明の詳細な説明】
【技術分野】
【０００１】  本発明は、冷却器で生じたドレン水を収受し、外部に排出するドレンパンを備えた空調用室内機に関するものである。
【背景技術】
【０００２】  従来の空調用室内機は、筐体、熱交換器、送風機、ドレンパン、制御箱などを備えて構成されている。この空調用室内機は、例えば床置き型室内機いわゆるローボーイ型室内機として採用されたものがある。  上記した室内機におけるドレンパンは、箱型に形成されて上面が開口しており、ドレン水集水部と凹集水部が設けられている。その凹集水部の端部には排水口が設けられており、その排水口にホースを連結することで、そのホースを介してドレン水を室内機の外部に排水するようにしている(例えば、特許文献１参照)。
【先行技術文献】
【特許文献】
【０００３】
【特許文献１】特開２００７−１３２６４１号公報（段落［００１０］〜［００１２］、図１〜図２）
【発明の概要】
【発明が解決しようとする課題】
【０００４】  特許文献１のドレンパンは、ドレン水集水部とソケット載置面とを同一平面にした成形品として得られている。その材料として、安くて成形性のよいスチロールビーズを発泡させたものを用いている。しかし、スチロールビーズによる成形のみであると、成形品に残るビーズの隙間から水漏れが発生してしまう。この水漏れを防ぐために、スキンシートと呼ばれる合成樹脂製の防水シートを上面開口から被せて使用している。そして、その防水シートはビーズの隙間から水が漏れてしまわないように、ソケット部分で接着剤による接着を行っている。その際に、接着剤を盛ることによる土手ができてしまう。しかしながら、床置形に主に採用される自然排水方式を用いた空調用室内機のドレンパンでは、接着剤を盛ることによる土手ができてしまうと、ドレン水の排水不良につながる恐れがあった。【０００５】  本発明は、上記の課題を解決するためになされたものであり、自然排水方式を採用している空調用室内機において、ドレン水の排水性を向上させることを目的としている。
【課題を解決するための手段】
【０００６】  本発明に係る空調用室内機は、冷却器と、冷却器の表面で生じたドレン水を収受し外部に排水するドレンパンと、を備える空調用室内機において、ドレンパンは、ドレン水が集められるドレン水集水部と、ドレン水集水部の底面に形成されたソケット載置面と、ドレン水集水部の内周面に外部と連通して形成されたソケット装着穴部と、を有し、ドレン水を収受するドレンパン本体部と、ソケット装着穴部に挿通される排水ノズル部と、ソケット載置面の上に設置される横板部と、を有するドレンソケットと、ドレンパン本体部の内周面および底面を被う防水シートと、防水シートをドレンパン本体部に接着させる接着剤と、を備えており、ドレンソケットにおける横板部の縁部の上面がドレン水集水部の底面よりも低い位置に形成されたものである。
【発明の効果】
【０００７】  本発明によれば、ドレン水集水部のソケット載置面に設置されたドレンソケットにおける横板部の縁部の上面がドレン水集水部の底面よりも低い位置に形成されているので、横板部の縁部の上面とドレン水集水部の底面との間に段差が生じ、この段差の存在により、接着剤の塗布高さを吸収して接着剤による土手を生じさせることがなく、ドレン水が接着剤により堰き止められることがなくなる。従って、自然排水性を向上させたドレンパンが得られる。
【図面の簡単な説明】
【０００８】
【図１】本発明の実施の形態１における空調用室内機の外観を示す斜視図である。
【図２】本発明の実施の形態１における空調用室内機の内部構成を示す斜視図である。
【図３】本発明の実施の形態１における空調用室内機に用いられるドレンパンの全体を示す斜視図である。
【図４】本発明の実施の形態１におけるドレンソケットの斜視図である。
【図５】本発明の実施の形態１におけるドレンパンの防水シートとドレンソケットとの接着状態を示す斜視図である。
【図６】本発明の実施の形態１におけるドレンパンの長手方向の断面を示す部分側断面図である。
【図７】本発明の実施の形態１におけるドレンパンの防水シートとドレンソケットとの接着部分を主に示す部分正断面図である。
【図８】従来におけるドレンパンの防水シートとドレンソケットとの接着部分を主に示す部分正断面図である。
【図９】本発明の実施の形態２におけるドレンソケットの斜視図である。
【図１０】本発明の実施の形態２におけるドレンパンの防水シートとドレンソケットとの接着部分を主に示す部分正断面図である。
【発明を実施するための形態】
【０００９】  以下、空調用室内機について図面等を参照しながら説明する。ここで、図１を含め、以下の図面において、同一の符号を付したものは、同一又はこれに相当するものであり、以下に記載する実施の形態の全文において共通することとする。そして、明細書全文に表わされている構成要素の形態は、あくまでも例示であって、明細書に記載された形態に限定するものではない。また、高さや大きさ等の高低については、特に絶対的な値との関係で高低等が定まっているものではなく、構成や材質等において相対的に定まるものとする。
【００１０】実施の形態１．  図１および図２は、本発明の実施の形態１における空調用室内機の外観を示す斜視図と空調用室内機の内部構成を示す斜視図である。本発明の実施の形態１における空調用室内機１００は、床置形であり、矩形箱状の筐体１と、この筐体１内に配備された熱交換器（冷却器の例）２１、ドレンパン２２、送風機２３、および制御箱２４などから構成されている。ドレンパン２２は、熱交換器２１の下方位置に配置され、熱交換器２１の表面で生じた凝縮水や配管等の表面で生じた結露水といったドレン水を収受するために使用される。
【００１１】  ドレンパン２２は、図３から図７に示すように、ドレンパン本体部２２ａと、ドレンソケット３４と、防水シート７１と、接着剤７２と、を有して構成されている。ドレンパン本体部２２ａは、熱交換器２１を受けるための熱交換器受け面３１と、ドレン水を導くための溝部３２と、ドレン水が集められるドレン水集水部３３と、を有して構成されており、ドレン水集水部３３近傍の内周面２９には外部と連通しているソケット装着穴部２７が形成されている。ドレンパン本体部２２ａは、上面開口を有する例えば平面視でほぼ長四角形の受皿状に形成されてドレン水を収受するようになっている。ドレン水集水部３３は、ドレンパン本体部２２ａの一端部に形成されており、ドレンパン本体部２２ａの溝部３２の底面はドレン水集水部３３に向けて下るように傾斜角度θで傾斜している。そのため、収受されたドレン水がドレン水集水部３３に自然に集まるようになっている。ドレン水集水部３３の底面の一部には、下向きに凹陥したソケット載置面４２が形成されている。このドレン水集水部３３の底面及びソケット載置面４２は、排水ノズル部３５に向かって僅かに下る傾斜がつけられている。そのため、ドレン水集水部３３に集められたドレン水が後述するドレンソケット３４から外部に排出されるようになっている。
【００１２】  図４は、本発明の実施の形態１におけるドレンソケット３４の斜視図である。ドレンソケット３４は、ドレン水集水部３３の内周面２９に当てがわられ、ドレン水を外部に排出するための排水口３７を有する竪板部３６と、排水口３７から突設されていてドレンパン本体部２２ａのソケット装着穴部２７に挿通される排水ノズル部３５と、竪板部３６の下辺からほぼ水平方向に延在していてドレン水集水部３３のソケット載置面４２上に設置される平板状の横板部４１と、から構成されている。
【００１３】  防水シート７１は、ドレンパン成形時にドレンパン本体部２２ａの上面開口から装入されて内周面および底面を被うようになっている。但し、防水シート７１において、ドレンソケット３４の排水口３７部分は縁部７１ａとして切り欠かれている。防水シート７１は、例えばＡＢＳ樹脂製で厚さＳが０．５ｍｍ程度のシートである。接着剤７２は防水シート７１がドレンパン２２から剥がれてしまわないように、防水シート７１とドレンパン２２とを接着するようになっている。接着剤７２は、例えばエポキシ樹脂からなる。
【００１４】  ここで、ドレンソケット３４周辺における防水シート７１の接着構造について説明する。図５に示すように、ドレンソケット３４周辺では、排水口３７を囲うように防水シート７１が切りかかれており、接着部分５１に接着剤７２を塗布することで、防水シート７１をドレンソケット３４に接着させている。また、ドレンソケット３４の横板部４１においては、図７に示すように、ドレンソケット３４の排水口３７部分で切り欠かれた防水シート７１の縁部７１ａは、ドレンソケット３４における横板部４１の縁部４１ａの上面４１ｂに載せられ、それらを跨ぐように接着剤７２が塗布される。
【００１５】  ここで、ドレン水集水部３３のソケット載置面４２に設置されたドレンソケット３４における横板部４１の縁部４１ａの上面４１ｂは、ドレン水集水部３３の底面２８よりも低い位置に形成されている。このとき、横板部４１の縁部４１ａの上面４１ｂからドレン水集水部３３の底面２８までの高さＴは、防水シート７１の厚さＳよりも大きくなるように例えば２．５ｍｍ程度に設定される。このように高さＴが設定されることにより、横板部４１の縁部４１ａの上面４１ｂとドレン水集水部３３の底面２８との間に段差が生じ、この段差の存在により、接着剤７２による土手を生じさせることがなく、防水シート７１をドレンソケット３４に接着することができる。詳しく述べると、接着剤７２は、横板部４１の上面４１ｂに向かって下るように、防水シート７１の縁部７１ａの上面とドレンソケット３４における横板部４１の縁部４１ａの上面４１ｂに跨って塗布される。このように接着剤７２を塗布することで、ドレン水が接着剤７２により堰き止められることがなくなり、自然排水性を向上させたドレンパンを提供できるという効果が得られる。
【００１６】  次に動作について説明する。空調用室内機１００においては、筐体１の内部に熱交換器２１が組付けられており、この熱交換器２１の下部にドレンパン２２が設置されている。ドレンパン２２は排水ノズル部３５を備えたドレンソケット３４を有しており、外部に突出した排水ノズル部３５にホース２２ｂが取り付けられることで、空調用室内機１００の据え付けが完了する。そこで、筐体１の下部に配置されている吸込み口２５から送風機２３の駆動によって室内空気を吸い込み、熱交換器２１を通過させることで室内空気を冷却して空気調和を行い、筐体１上部の吹出しダクト２６から空調後の空気を室内に吹き出す。空気調和される際に熱交換器２１の表面で生じたドレン水は滴下してドレンパン２２内に収受されるようになっている。
【００１７】  以上に述べたように、実施の形態１における空調用室内機１００が備えるドレンパン２２は、ドレンソケット３４における横板部４１の縁部４１ａの上面４１ｂがドレン水集水部３３の底面２８よりも低い位置に形成されているため、接着剤７２による土手を生じさせることがなく、防水シート７１を接着しているため、ドレン水が堰き止められるといったことがなく、確実にドレン水を外部へ排出することができる。  さらに、接着剤７２は横板部４１の上面４１ｂに向かって下るように傾斜して塗布されているので、防水シート７１上のドレン水が横板部４１上に、ひいては排水口３７へと導水されやすくなり、確実にドレン水を外部へ排出することができる。その上、接着剤７２の塗布量を低減化して低コストの製造につながる。
【００１８】  ドレンパン本体部２２ａの溝部３２の底面はドレン水集水部３３に向けて下るように傾斜して形成されており、かつドレン水集水部３３の底面及びソケット載置面４２は排水ノズル部３５に向かって僅かに下るように傾斜して形成されている。そのため、熱交換器２１等から発生したドレン水は、ドレンパン２２に収受され、自然に外部に排水されやすくなり、ドレン水の排水性を良好に保つことができる。
【００１９】  因みに、図８に示すとおり、従来のドレンパンはソケット載置面４２に設置された横板部４１の上面４１ｂとドレン水集水部３３の底面とが同じ高さで面一になっていた。そのため、横板部４１の縁部４１ａと防水シート７１の縁部７１ａとを接着剤７２で接着すると、接着剤７２が防水シート７１上で盛り上がって堰となり、防水シート７１上に深さ２〜５ｍｍ程度のドレン水が溜まってしまうという不具合があった。
【００２０】実施の形態２．  本発明の実施の形態２における空調用室内機について説明する。図９は、本発明の実施の形態２におけるドレンソケットの斜視図であり、図１０は、本発明の実施の形態２におけるドレンパンの防水シートとドレンソケットとの接着部分を主に示す部分正断面図である。図８及び図９において、図４及び図７と同じ符号を付けたものは、同一または対応する構成を示しており、その説明を省略する。
【００２１】  本発明の実施の形態２における空調用室内機１００に用いられるドレンソケット３４１は、横板部４１の縁部４１ａより高く形成された高台部３８を有している点で、実施の形態１のドレンソケットと相違している。
【００２２】  具体的に説明すると、ドレンソケット３４１では、ドレンソケット３４１の竪板部３６とつながる高台部３８が横板部４１の中央部に形成されており、高台部３８は横板部４１の縁部４１ａより高い位置に形成されている。高台部３８周囲の横板部４１の縁部４１ａには、防水シート７１の縁部７１ａが載せられる。ドレンパン本体部２２ａのドレン水集水部３３には、ドレンソケット３４１の横板部４１の底面形状に応じた凹凸形状のソケット載置面４２が形成されている。高台部３８の高さは、ドレン水集水部３３の底面２８を被った防水シート７１と同じ高さとなるように設定されている。そして、高台部３８周囲の横板部４１の縁部４１ａ上に接着剤７２が高台部３８の上面と面一になるように流し込まれる。
【００２３】  以上のように、実施の形態２では、防水シート７１の縁部７１ａが高台部３８周囲の横板部４１の縁部４１ａに載せられ、この防水シート７１と同じ高さとなるように、高台部３８の高さが設定され、高台部３８周囲の横板部４１の縁部４１ａ上の窪みに、接着剤７２が高台部３８の上面と面一になるように充填されているので、接着剤７２による土手を生じさせることがなく、ドレン水が接着剤７２により堰き止められることがなくなる。また、接着剤７２の塗布量の管理も行いやすくなる。
【００２４】  尚、この発明に係るドレンパンは、床置形の空調用室内機に限定して適用されるものではなく、ドレンパン本体部、ドレンソケット、防水シートを備えて構成されるものであれば、前記した各実施形態の形状を適用してもよい。また、ドレン水が接着剤７２により堰き止められるものでなければ、それで満足するために、段差の高さＴは適宜に設定変更可能である。
【符号の説明】
【００２５】１        筐体２１      熱交換器（冷却器）２２      ドレンパン２２ａ    ドレンパン本体部２２ｂ    ホース２３      送風機２４      制御箱２５      吸込み口２６      吹出しダクト２７      ソケット装着穴部２８      底面２９      内周面３１      熱交換器受け面３２      溝部３３      ドレン水集水部３４，３４１  ドレンソケット３５      排水ノズル部３６      竪板部３７      排水口３８      高台部４１      横板部４１ａ    縁部４１ｂ    上面４２      ソケット載置面５１      接着部分７１      防水シート７１ａ    縁部７２      接着剤１００    空調用室内機Ｓ        厚さＴ        高さθ        傾斜角度
【図１】
2019003327.tif 000003
【図２】
2019003327.tif 000004
【図３】
2019003327.tif 000005
【図４】
2019003327.tif 000006
【図５】
2019003327.tif 000007
【図６】
2019003327.tif 000008
【図７】
2019003327.tif 000009
【図８】
2019003327.tif 000010
【図９】
2019003327.tif 000011
【図１０】
2019003327.tif 000012
【国際調査報告】
2019003327.tif 000013
2019003327.tif 000014
2019003327.tif 000015
2019003327.tif 000016